(57)【要約】本願発明のＸ線画像診断装置は、Ｘ線照射手段と、被検体を透過したＸ線を取得する部位以外の照射Ｘ線を遮蔽するＸ線絞り手段と、このＸ線絞り手段によって遮蔽される部分を可変設定するＸ線絞り設定手段と、前記被検体を透過したＸ線を撮像するＸ線平面検出手段と、このＸ線平面検出手段によって撮像された画像を処理する画像処理手段と、この画像処理手段によって処理された画像を表示する表示手段とを備え、前記画像処理手段は、前記Ｘ線絞り設定手段によって可変設定されたＸ線遮蔽部分に対応する前記Ｘ線平面検出器のＸ線検出素子のデータを読み出し、前記データからラインノイズ成分を演算する演算手段と、この演算手段によって演算されたラインノイズ成分に基づき前記Ｘ線平面検出器によって撮像された画像を補正するラインノイズ補正手段とを備える。
2004105609.tif 000002
【特許請求の範囲】
【請求項１】
被検体にＸ線を照射するＸ線照射手段と、
このＸ線照射手段のＸ線照射方向に配設され前記被検体のＸ線画像を取得する部位以外の照射Ｘ線を遮蔽するＸ線絞り手段と、
このＸ線絞り手段によって遮蔽されるＸ線遮蔽部分を可変設定するＸ線絞り設定手段と、
前記Ｘ線照射手段と前記被検体を介して対向配置され前記被検体を透過したＸ線をＸ線画像として画像化するＸ線平面検出手段と、
このＸ線平面検出手段によって画像化されたＸ線画像を画像処理する画像処理手段と、
この画像処理手段によって画像処理されたＸ線画像を表示する表示手段と、を備え、
前記画像処理手段は、前記Ｘ線絞り設定手段によって可変設定されたＸ線絞り手段のＸ線遮蔽部分に対応する前記Ｘ線平面検出手段のＸ線検出素子のデータを読み出し、その読み出したＸ線検出素子のデータからラインノイズ成分を演算する演算手段と、
この演算手段によって演算されたラインノイズ成分に基づいて前記Ｘ線画像のラインノイズを補正するラインノイズ補正手段と、を備えたことを特徴とするＸ線画像診断装置。
【請求項２】
請求項１に記載のＸ線画像診断装置において、前記演算手段は、前記Ｘ線平面検出手段からラインノイズ成分として読み出されるデータの領域が、前記Ｘ線絞り設定手段によって可変設定されたＸ線絞り手段と連動されることを含む。
【請求項３】
請求項１に記載のＸ線画像診断装置において、前記画像処理手段は、前記Ｘ線照射手段に設定されるＸ線条件に基づきラインノイズ補正の実行の可否を切り替える補正実行切替手段をさらに備えたことを含む。
【請求項４】
請求項１に記載のＸ線画像診断装置において、前記画像処理手段は、前記Ｘ線絞り設定手段によって可変設定されたＸ線遮蔽部分に対応する前記Ｘ線平面検出手段のうちの前記被検体による散乱Ｘ線の発生エリアを識別し、その識別された散乱Ｘ線の発生エリアを演算手段によるラインノイズ成分の演算から除外する散乱Ｘ線除去処理部をさらに備えたことを含む。
【請求項５】
請求項１に記載のＸ線画像診断装置において、前記被検体と前記Ｘ線平面検出手段との間に配設され、前記被検体からの散乱Ｘ線を遮蔽する前記Ｘ線絞り手段と別のＸ線絞り手段をさらに設け、前記別のＸ線絞り手段によって遮蔽されるＸ線遮蔽部分の大きさを前記Ｘ線絞り設定手段に可変設定させることを含む。
【請求項６】
請求項１に記載のＸ線画像診断装置は、前記Ｘ線照射手段へＸ線条件、前記Ｘ線絞り設定手段へＸ線絞り手段の開度条件及び前記画像処理手段へ動作条件をそれぞれ操作者によって設定される操作手段と、
この操作手段によって設定された各条件に基づき前記Ｘ線照射手段、前記Ｘ線絞り設定手段及び前記画像処理手段を駆動する制御手段と、をさらに備えることを含む。
【請求項７】
請求項６に記載のＸ線画像診断装置において、前記制御手段は、前記操作手段によって設定されたＸ線条件に対するＸ線を前記被検体へＸ線照射手段に照射させ、このＸ線照射手段によって照射され前記被検体を透過したＸ線画像データと前記Ｘ線絞り手段によって遮蔽された遮蔽領域のデータとがＸ線平面検出手段によって検出され、このＸ線平面検出手段によって検出された遮蔽領域のデータからラインノイズ成分が演算手段によって演算されることを含む。
【請求項８】
請求項６に記載のＸ線画像診断装置において、前記演算手段は、前記ラインノイズ成分が前記Ｘ線絞り設定手段によって可変設定されたＸ線遮蔽部分に対応する前記Ｘ線平面検出手段のＸ線検出素子のデータの所定の統計量であることを含む。
【請求項９】
請求項６に記載のＸ線画像診断装置において、前記制御手段は、前記操作手段によって設定されたＸ線条件に基づきラインノイズ補正の実行の可否を切り替える補正実行切替手段を制御することを含む。
【請求項１０】
請求項６に記載のＸ線画像診断装置において、前記制御手段は、前記Ｘ線絞り設定手段によって可変設定されたＸ線遮蔽部分に対応する前記Ｘ線平面検出手段のＸ線検出素子のうちの前記被検体による散乱Ｘ線の発生エリアを識別し、その識別された散乱Ｘ線の発生エリアを前記演算手段によるラインノイズ成分の統計量の演算から除外する散乱Ｘ線除去処理部を制御することを含む。
【請求項１１】
請求項６に記載のＸ線画像診断装置において、前記被検体と前記Ｘ線平面検出手段との間に配設され、前記被検体からの散乱Ｘ線を遮蔽する前記Ｘ線絞り手段と別のＸ線絞り手段をさらに設け、前記制御手段は、前記別のＸ線絞り手段によって遮蔽されるＸ線遮蔽部分の大きさをＸ線絞り設定手段により制御することを含む。
【請求項１２】
請求項１に記載のＸ線画像診断装置において、前記演算手段は、前記ラインノイズ成分が前記Ｘ線絞り設定手段によって可変設定されたＸ線遮蔽部分に対応する前記Ｘ線平面検出手段のＸ線検出素子のデータの所定の統計量であることを含む。
【請求項１３】
請求項１２に記載のＸ線画像診断装置において、前記所定の統計量は、平均値であることを含む。
【請求項１４】
請求項１２に記載のＸ線画像診断装置において、前記所定の統計量は、メジアンであることを含む。
【請求項１５】
請求項１２に記載のＸ線画像診断装置において、前記前記所定の統計量は、平均値、メジアンを含む統計値を複数組み合わせたものであることを含む。
【発明の詳細な説明】
【技術分野】
【０００１】  本発明は、被検者の透過Ｘ線を検出するＸ線平面検出器を備えたＸ線画像診断装置に関する。
【背景技術】
【０００２】  Ｘ線画像診断装置は、Ｘ線検出手段に２次元配列された複数のＸ線検出素子から形成されたＸ線平面検出器を採用している。Ｘ線平面検出器では、得られたＸ線画像を表示する際に、配列されたＸ線検出素子の行方向又は列方向にラインノイズが顕れることがある。このため、Ｘ線平面検出器を有したＸ線画像診断装置では、ラインノイズの補正が必要とされる。【０００３】  このラインノイズ補正の一例は、［特許文献１］に記載されている。この［特許文献１］には、Ｘ線平面検出器の一部のある決まった領域にあるＸ線検出素子を常に鉛等で遮蔽し、その遮蔽領域にあるＸ線検出素子の出力データを用いてラインノイズ補正するように構成されたＸ線像形成装置が記載されている。このため、ラインノイズ補正に使われるデータの読み出し領域は常に固定されていることとなる。【０００４】  しかし、上記［特許文献１］では、前記遮蔽領域が常に固定されているため、その遮蔽領域にあるＸ線検出素子の出力データが固定されていることになるので、前記Ｘ線平面検出器における被検体のＸ線画像を得る領域（有効視野）が変化するときの配慮がなされていない。
【特許文献１】特開２０００−３３０８３号公報
【発明の開示】
【０００５】  本発明のＸ線画像診断装置は、被検体にＸ線を照射するＸ線照射手段と、このＸ線照射手段のＸ線照射方向に配設され前記被検体のＸ線画像を取得する部位以外の照射Ｘ線を遮蔽するＸ線絞り手段と、このＸ線絞り手段によって遮蔽されるＸ線遮蔽部分を可変設定するＸ線絞り設定手段と、前記Ｘ線照射手段と前記被検体を介して対向配置され前記被検体を透過したＸ線をＸ線画像として画像化するＸ線平面検出手段と、このＸ線平面検出手段によって画像化されたＸ線画像を画像処理する画像処理手段と、この画像処理手段によって画像処理されたＸ線画像を表示する表示手段と、を備え、
前記画像処理手段は、前記Ｘ線絞り設定手段によって可変設定されたＸ線絞り手段のＸ線遮蔽部分に対応する前記Ｘ線平面検出手段のＸ線検出素子のデータを読み出し、その読み出したＸ線検出素子のデータからラインノイズ成分を演算する演算手段と、この演算手段によって演算されたラインノイズ成分に基づいて前記Ｘ線画像のラインノイズを補正するラインノイズ補正手段と、を備える。
これにより、Ｘ線絞り設定手段によって可変設定されたＸ線絞りによるＸ線平面検出手段の遮蔽領域のデータを用いてＸ線画像のラインノイズ補正を精度良く行うことができる。
【０００６】  また、本発明の望ましい一実施形態によれば、前記演算手段は、前記Ｘ線平面検出手段からラインノイズ成分として読み出されるデータの領域が、前記Ｘ線絞り設定手段によって可変設定されたＸ線絞り手段と連動されることを含む。
これにより、可動されるＸ線絞り手段による遮蔽部分に連動されたラインノイズ補正のためのデータを得ることができる。
【０００７】  また、本発明の望ましい一実施形態によれば、前記画像処理手段は、前記Ｘ線照射手段に設定されるＸ線条件に基づきラインノイズ補正の実行の可否を切り替える補正実行切替手段をさらに備えたことを含む。
これにより、Ｘ線条件によってラインノイズ補正を実行する設定を予めしておくことにより、透視モードや撮影モードが連続する場合、透視モード時にのみに補正がオン状態となることから、モード切替時に逐次に補正の要否を設定することがないため、操作者の操作性を向上できる。
【０００８】  また、本発明の望ましい一実施形態によれば、前記画像処理手段は、前記Ｘ線絞り設定手段によって可変設定されたＸ線遮蔽部分に対応する前記Ｘ線平面検出手段のうちの前記被検体による散乱Ｘ線の発生エリアを識別し、その識別された散乱Ｘ線の発生エリアを前記演算手段によるラインノイズ成分の演算から除外する散乱Ｘ線除去処理部をさらに備えたことを含む。
これにより、ラインノイズ補正に用いるデータは散乱Ｘ線に影響されないので、高画質なＸ線画像を得ることができる。
【０００９】  また、本発明の望ましい一実施形態によれば、前記被検体と前記Ｘ線平面検出手段との間に配設され、前記被検体からの散乱Ｘ線を遮蔽する前記Ｘ線絞り手段と別のＸ線絞り手段をさらに設け、前記別のＸ線絞り手段によって遮蔽されるＸ線遮蔽部分の大きさを前記Ｘ線絞り設定手段に可変設定させることを含む。
これにより、別のＸ線絞り手段が被検体による散乱Ｘ線を機構的に除去するので、散乱Ｘ線の発生部分だけ別のＸ線絞り手段によって覆うことにより、その覆われた部分をラインノイズ補正に使えるデータとすることで、補正データを多く使えることから、ラインノイズ補正の精度を向上できる。
【００１０】  また、本発明の望ましい一実施形態によれば、前記Ｘ線照射手段へＸ線条件、前記Ｘ線絞り設定手段へＸ線絞り手段の開度条件及び前記画像処理手段へ動作条件をそれぞれ操作者によって設定される操作手段と、この操作手段によって設定された各条件に基づき前記Ｘ線照射手段、前記Ｘ線絞り設定手段及び前記画像処理手段を駆動する制御手段と、をさらに備える。
これにより、操作手段によって設定された各条件に合せてＸ線画像のラインノイズ補正を精度良く行うことができる。
【００１１】  また、本発明の望ましい一実施形態によれば、前記制御手段は、前記操作手段によって設定されたＸ線条件に対するＸ線を前記被検体へＸ線照射手段に照射させ、このＸ線照射手段によって照射され前記被検体を透過したＸ線画像データと前記Ｘ線絞り手段によって遮蔽された遮蔽領域のデータとがＸ線平面検出手段によって検出され、このＸ線平面検出手段によって検出された遮蔽領域のデータからラインノイズ成分が演算手段によって演算されることを含む。
これにより、Ｘ線絞り設定手段によって可変設定されたＸ線絞りの遮蔽領域のデータを用いてＸ線画像のラインノイズ補正を精度良く行うことができる。
【００１２】  また、本発明の望ましい一実施形態によれば、前記制御手段は、Ｘ線照射手段に設定されるＸ線条件に基づきラインノイズ補正の実行の可否を切り替える補正実行切替手段を制御することを含む。
これにより、Ｘ線条件によってラインノイズ補正を実行する設定を予めしておくことにより、透視モードや撮影モードが連続する場合、透視モード時にのみに補正がオン状態となることから、モード切替時に逐次に補正の要否を設定することがないため、操作者の操作性を向上できる。
【００１３】  また、本発明の望ましい一実施形態によれば、前記制御手段は、前記Ｘ線絞り設定手段によって可変設定されたＸ線遮蔽部分に対応する前記Ｘ線平面検出手段のＸ線検出素子のうちの前記被検体による散乱Ｘ線の発生エリアを識別し、その識別された散乱Ｘ線の発生エリアを前記演算手段によるラインノイズ成分の統計量の演算から除外する散乱Ｘ線除去処理部を制御することを含む。
これにより、ラインノイズ補正に用いるデータは散乱Ｘ線に影響されないので、高画質なＸ線画像を得ることができる。
【００１４】  また、本発明の望ましい一実施形態によれば、前記被検体と前記Ｘ線平面検出手段との間に配設され、前記被検体からの散乱Ｘ線を遮蔽する前記Ｘ線絞り手段と別のＸ線絞り手段をさらに設け、前記制御手段は、前記別のＸ線絞り手段によって遮蔽されるＸ線遮蔽部分の大きさをＸ線絞り設定手段により制御することを含む
これにより、別のＸ線絞り手段が被検体による散乱Ｘ線を機構的に除去するので、散乱Ｘ線の発生部分だけ別のＸ線絞り手段によって覆うことにより、その覆われた部分をラインノイズ補正に使えるデータとすることで、補正データを多く使えることから、ラインノイズ補正の精度を向上できる。
【００１５】  また、本発明の望ましい一実施形態によれば、前記演算手段は、前記ラインノイズ成分が前記Ｘ線絞り設定手段によって可変設定されたＸ線遮蔽部分に対応する前記Ｘ線平面検出手段のＸ線検出素子のデータの所定の統計量であることを含む。
これにより、ラインノイズの発生要因で所定の統計量がその補正に有用であるものについて好適にラインノイズ補正ができる。
【００１６】  また、本発明の望ましい一実施形態によれば、前記所定の統計量は、平均値であることを含む。
これにより、ラインノイズの発生要因で平均値がその補正に有用であるものについて好適にラインノイズ補正ができる。
【００１７】  また、本発明の望ましい一実施形態によれば、前記所定の統計量は、メジアンであることを含む。
これにより、ラインノイズの発生要因でメジアンがその補正に有用であるものについて好適にラインノイズ補正ができる。
【００１８】  さらにまた、本発明の望ましい一実施形態によれば、前記前記所定の統計量は、平均値、メジアンを含む統計値を複数組み合わせたものであることを含む。
これにより、ラインノイズの発生要因で平均値、メジアンを含む統計値を複数組み合わせた統計量がその補正に有用であるものについて好適にラインノイズ補正ができる。
【図面の簡単な説明】
【００１９】［図１］本発明の第１の実施形態に係るＸ線画像診断装置の構成例を示す図である。
［図２］図１のＸ線絞りとＦＰＤの位置関係の説明図である。
［図３］図１のＸ線画像診断装置の処理例を示すフローチャートである。
［図４］本発明の第２の実施形態に係るＸ線画像診断装置のうちの画像処理部の構成例を示す図である。
［図５］図４のＸ線画像診断装置の処理例を示すフローチャートである。
［図６］本発明の第３の実施形態に係るＸ線画像診断装置のうちの画像処理部の構成例を示す図である。
［図７］図６のＸ線画像診断装置の処理例を示すフローチャートである。
［図８］本発明の第４の実施形態に係るＸ線画像診断装置の構成例を示す図である。
［図９］図８のＸ線画像診断装置の処理例を示すフローチャートである。
【発明を実施するための最良の形態】
【００２０】  以下、本発明に係るＸ線画像診断装置の好ましい実施の形態について図を用いて詳しく説明する。【００２１】  第１の実施形態のＸ線画像診断装置は、図１に示されるように、Ｘ線管２と、Ｘ線管２のＸ線照射側に配置される絞り３と、絞り３の開度を可変する絞り可変部４と、被検体１を介してＸ線管２と対向配置されるＸ線平面検出手段（Ｆｌａｔ  Ｐａｎｅｌ  Ｄｅｔｅｃｔｏｒを省略してＦＰＤという）５と、ＦＰＤ５と電気的に接続される画像処理部６と、画像処理部６と電気的に接続される画像表示部７と、Ｘ線管２とＦＰＤ５とを支持するアーム８と、Ｘ線管２と電気的に接続されるＸ線発生部９と、操作者のパラメータ入力端末である操作部１０と、絞り可変部４、画像処理部６及び操作部１０と電気的に接続される制御部１１と、を有している。【００２２】  Ｘ線管２は被検体１にＸ線を照射する。絞り３は被検体１のＸ線画像を取得する部位以外の照射Ｘ線を遮蔽する。絞り可変部４は絞り３の開口部の開度を可変設定する。ＦＰＤ５は被検体１の透過Ｘ線をＸ線画像として検出する。画像処理部６は、ＦＰＤ５からの出力信号を信号処理する。その信号処理は、例えば、ＦＰＤ５の出力信号に対するゲイン補正処理、オフセット補正処理、画素欠損補正処理、それらの各種補正後のＸ線画像について階調処理やリカーシブルフィルタ処理などを行う。また、画像処理部６は、ＦＰＤ５と電気的に接続される統計データ処理部６１と、統計データ処理部６１と電気的に接続されるラインノイズ補正部６２を有している。統計データ処理部６１は絞り３によって遮蔽された領域に対応するＦＰＤ５からの出力信号を読み出し、その読み出された遮蔽領域の出力信号をデータとして一時的に記憶し、それらの一時記憶されたデータを統計処理してラインノイズ成分を求め、そのラインノイズ成分がラインノイズ補正部６２に出力されるようになっている。この統計処理は、平均値、メジアンが挙げられるが、標準偏差、分散などラインノイズ補正に好適であればどのような統計量を用いてもよい。また、それらの各種統計量は複数組み合わせてもよい。ラインノイズ補正部６２は統計データ処理部６１によって統計処理されたラインノイズ成分の補正データを、そのラインノイズが含まれるＦＰＤ５の出力から引き算をして、Ｘ線画像のラインノイズを補正する。画像表示部７は、画像処理部６によって画像処理されたＸ線画像を表示出力する。アーム８はＦＰＤ５とＸ線管２がその両端部へ対向するように取り付けて支持する。Ｘ線発生部９はＸ線管２に供給する高電圧発生装置である。操作部１０は、操作者がＸ線画像診断装置を操作するための入力部で、Ｘ線照射スイッチ、Ｘ線条件（管電圧、管電流、Ｘ線照射時間）設定器を操作盤面に配置して構成されている。制御部１１は上記構成要件の動作を総括制御するもので、また各種データの演算等を行う。例えば、Ｘ線発生制御では、操作者が操作部１０にＸ線条件を入力し、制御部１１はＸ線発生部９にその入力されたＸ線条件を伝達し、Ｘ線発生部９は伝達されたＸ線条件となるような電源をＸ線管２に供給し、Ｘ線管２はＸ線条件のＸ線を照射する。また、絞り制御では、操作者が操作部１０に絞り３の開口部の大きさ（開度）を入力��、制御部１１は絞り可変部４にその入力された開度を伝達し、絞り可変部４は伝達された開度となるように絞り３を移動し、絞り３は操作者に設定された開度を形成する。また、画像処理制御では、操作者が操作部１０に画像処理の条件パラメータを入力し、制御部１１は画像処理部６にその入力された画像処理の条件パラメータを伝達し、画像処理部６は伝達された条件パラメータに従った画像処理を行う。また、アーム８は、Ｘ線管２とＦＰＤ５の対向配置の関係を維持しながら、被検体１に対するＸ線照射角度を任意に設定できるようになっている。【００２３】  図２はＦＰＤ５との配置関係を示す図である。絞り３は、例えば、４枚のＸ線遮蔽板３ａ、３ｂ、３ｃ、３ｄを有しており、これらの遮蔽板により矩形の開口部５２を形成するようになっている。また、遮蔽板３ａ、３ｂはＡ方向に移動可能であり、遮蔽板３ｃ、３ｄはＡ方向に直交するＢ方向に移動可能である。そして、絞り３の影がＦＰＤ５に図示されるように投影されることになる。また、遮蔽板３ａ、３ｂの影はＡ方向、遮蔽板３ｃ、３ｄの影はＢ方向に移動することになる。ここでは、投影された影の部分から読み出されるデータがラインノイズ補正に用いられるので、遮蔽領域と呼ぶこととする。また、説明を簡単にするために、Ａ方向にある遮蔽領域５２、５３のみを考える。また、被検体１の透過Ｘ線を得る領域は、絞り３の開口部に対応する有効視野５１となる。また、絞り３の機構は本発明の技術分野において公知であるので、その具体的な駆動機構の説明は省略する。【００２４】  第１の実施形態の動作例について図３を用いて説明する。
操作部１０は、操作者によってＸ線管２に透視像を得るためのＸ線条件とＸ線絞り可変部４に絞り３の開度をそれぞれ設定される（ステップ３１）。
Ｘ線管２は、上記設定されたＸ線条件に対するＸ線を被検体１に照射する（ステップ３２）。
ＦＰＤ５は、上記照射され被検体１を透過したＸ線画像データを検出すると共に、遮蔽領域５２、５３のデータを検出する（ステップ３３）。
画像処理部６の統計データ処理部６１は、上記遮蔽領域のデータに統計処理演算をし、ラインノイズ成分の統計量を演算する（ステップ３４）。
画像処理部６のラインノイズ補正部６２は、上記演算されたラインノイズ成分の統計量を上記検出されたＸ線画像データから引き算して、そのＸ線画像データのラインノイズを補正する（ステップ３５）。
画像表示部７は、上記補正されたＸ線画像データを画像表示する（ステップ３６）。【００２５】  例えば、被検体内の治療部位へカテーテルやガイドワイヤを見ようとするときは、操作者が絞り３を操作して有効視野５１をカテーテル等に合せて設定する。このとき、遮蔽領域を広くとることができるので、ラインノイズ成分をより多くの検出データが得られ、その多くの検出データが統計処理されるのであるから、ラインノイズ成分の計算の度が増すこととなり、結果として透視像がディスプレイ２７へ表示されることになる。これにより、Ｘ線絞り設定手段によって可変設定されたＸ線絞りの遮蔽領域のデータを用いてＸ線画像のラインノイズ補正を精度良く行うことができる。【００２６】  また、本実施形態では、［特許文献１］のように、ＦＰＤ５にＸ線遮蔽材を固定しているので、ラインノイズ補正が必要のない撮影画像ではＦＰＤ５を全面まで有効利用することができる。また、透視画像では可変設定されるＸ線絞りによって変動するＸ線平面検出手段のＸ線非照射領域を有効利用して、Ｘ線画像のラインノイズを補正することができることになる。【００２７】  また、本実施形態において、ラインノイズ成分の統計量が前記Ｘ線検出素子から読み出されたデータの平均値であってもよい。
これにより、ラインノイズの発生要因で平均値がその補正に有用であるものについて好適にラインノイズ補正ができる。【００２８】  また、本実施形態において、ラインノイズ成分の統計量が前記Ｘ線検出素子から読み出されたデータのメジアンであってもよい。
これにより、ラインノイズの発生要因でメジアンがその補正に有用であるものについて好適にラインノイズ補正ができる。【００２９】  また、本実施形態において、前記ラインノイズ成分の統計量が前記Ｘ線検出素子から読み出されたデータの平均値、メジアンを含む統計値を複数組み合わせたものであってもよい。
これにより、ラインノイズの発生要因で統計値を複数組み合わせた統計量がその補正に有用であるものについて好適にラインノイズ補正ができる。【００３０】  次に、図４、図５を用いて本発明の第２の実施形態を説明する。
この第２の実施形態は、Ｘ線画像の収集が、ラインノイズ補正が必要である透視画像を得るモード（透視モード）と、ラインノイズ補正がほとんど必要のない撮影画像を得るモード（撮影モード）を繰り返す場合などに好適なものである。
本実施形態のＸ線画像診断装置の第１の実施形態との相違点は、画像処理部６の構成に、操作部１０と電気的に接続される補正実行切替器６３が追加されることである。補正実行切替器６３は、透視モード時にラインノイズ補正を行い、撮影モード時にラインノイズ補正を行わない判定で、各モードにより切替られるマルチプレクサの機能を有する。【００３１】  第２の実施形態の動作例について図５を用いて説明する。
操作部１０は、操作者によってＸ線管２に任意のＸ線条件とＸ線絞り可変部４に絞り３の開度をそれぞれ設定される（ステップ５１）。
Ｘ線管２は、上記設定されたＸ線条件に対するＸ線を被検体１に照射する（ステップ５２）。
ＦＰＤ５は、上記照射され被検体１を透過したＸ線画像データを検出すると共に、遮蔽領域５２、５３のデータを検出する。ここでは、遮蔽領域のデータ検出を実行するが、このステップでは行わずにステップ５５に先立って実行してもよい。（ステップ５３）
画像処理部６の補正実行切替器６３は、Ｘ線条件は透視モードであるか否か（撮影モード）を判定する。この判定の結果、透視モードであればステップ５５に進み、撮影モードであればステップ５７に進む（ステップ５４）
画像処理部６の統計データ処理部６１は、上記遮蔽領域のデータに統計処理演算をし、ラインノイズ成分の統計量を演算する（ステップ５５）。
画像処理部６のラインノイズ補正部６２は、上記演算されたラインノイズ成分の統計量を上記検出されたＸ線画像データから引き算して、そのＸ線画像データのラインノイズを補正する（ステップ５６）
画像表示部７は、上記補正されたＸ線画像データを画像表示する（ステップ５７）。
また、補正実行切替器６３の操作をオフすると、第１の実施形態で説明した操作者による手動状態に戻ることができる。【００３２】  第２の実施形態によれば、Ｘ線条件によってラインノイズ補正を実行する設定を予めしておくことにより、透視モードや撮影モードが連続する場合、透視モード時にのみに補正がオン状態となることから、モード切替時に逐次に補正の要否を設定することがないため、操作者の操作性を向上できる。【００３３】  次に、図６、図７を用いて本発明の第３の実施形態を説明する。
この第３の実施形態は、被検体１による散乱Ｘ線の影響を取り除くこと考慮したものである。
本実施形態のＸ線画像診断装置の第１及び第２の実施形態との相違点は、画像処理部６の構成に、操作部１０と電気的に接続される散乱線除去処理部６４が追加されることである。被検体１による散乱Ｘ線は、絞り３によるＦＰＤ５の遮蔽部分に入力されれば本来Ｘ線入射を検出しないにも拘らず、Ｘ線入射を検出することになる。散乱線除去処理部６４は、このＸ線入射しないはずのＦＰＤ５の遮蔽領域の検出値が所定の閾値を超えたとき、その閾値を超えた遮蔽部分についてラインノイズ成分を求める演算には使用しない処理を行う。【００３４】  第３の実施形態の動作例について図７を用いて説明する。
操作部１０は、操作者によってＸ線管２に透視のＸ線条件とＸ線絞り可変部４に絞り３の開度をそれぞれ設定される（ステップ７１）。
Ｘ線管２は、上記設定されたＸ線条件に対するＸ線を被検体１に照射する（ステップ７２）。
ＦＰＤ５は、上記照射され被検体１を透過したＸ線画像データを検出すると共に、遮蔽領域５２、５３のデータを検出する。ここでは、遮蔽領域のデータ検出を実行するが、このステップでは行わずにステップ７５に先立って実行してもよい（ステップ７３）。
画像処理部６の散乱線除去処理部６４は、被検体１からの散乱Ｘ線が絞り３によるＦＰＤ５の遮蔽領域に検出され、その検出値が所定の閾値を超えたか否かを判定する。この判定の結果、閾値を超えていればステップ７５に進み、撮影モードであればステップ７６に進む（ステップ７４）。
画像処理部６の散乱線除去処理部６４は、前記判定で閾値を超えている（多く散乱Ｘ線を入射している）領域の情報を統計データ処理部６１に引き渡すことで、遮蔽領域から散乱Ｘ線領域を除去する（ステップ７５）。
画像処理部６の統計データ処理部６１は、上記遮蔽領域のデータに統計処理演算をし、ラインノイズ成分の統計量を演算する（ステップ７６）。
画像処理部６のラインノイズ補正部６２は、上記演算されたラインノイズ成分の統計量を上記検出されたＸ線画像データから引き算して、そのＸ線画像データのラインノイズを補正する（ステップ７７）。
画像表示部７は、上記補正されたＸ線画像データを画像表示する（ステップ７８）。【００３５】  第３の実施形態によれば、ラインノイズ補正に用いるデータは散乱Ｘ線に影響されないので、高画質なＸ線画像を得ることができる。【００３６】  次に、図８、図９を用いて本発明の第４の実施形態を説明する。
この第４の実施形態は、被検体１による散乱Ｘ線を別の絞り１２により取り除くと共に、別の絞り１２の影によりラインノイズ補正に使用できる範囲を増やして、ラインノイズ補正の精度をさらに高めることを考慮したものである。
本実施形態のＸ線画像診断装置の第１実施形態との相違点は、被検体１とＦＰＤ５との間に別の絞り１２が追加されることである。別の絞り１２は、第３の実施形態で説明したように、被検体１からの散乱Ｘ線を遮蔽する。【００３７】  第４の実施形態の動作例について図９を用いて説明する。
操作部１０は、操作者によってＸ線管２に透視のＸ線条件とＸ線絞り可変部４に絞り（第１絞り）３の開度をそれぞれ設定される（ステップ９１）。
Ｘ線管２は、上記設定されたＸ線条件に対するＸ線を被検体１に照射する（ステップ９２）。
ＦＰＤ５は、上記照射され被検体１を透過したＸ線画像データを検出する（ステップ９３）。
ＦＰＤ５は、遮蔽領域５２、５３のデータを検出する（ステップ９４）。
制御部１１は、上記検出された遮蔽領域５２、５３のデータから第３の実施形態で説明したような閾値処理を用いて遮蔽領域５２、５３のデータのうちの散乱Ｘ線の発生している領域（散乱線領域）を識別する（ステップ９５）。
絞り可動部４は、別の絞り（第２絞り）１２を散乱線領域に挿入し、散乱線領域を遮蔽領域に追加する（ステップ９６）。
画像処理部６の統計データ処理部６１は、上記遮蔽領域（追加されたものを含む）のデータに統計処理演算をし、ラインノイズ成分の統計量を演算する（ステップ９７）。
画像処理部６のラインノイズ補正部６２は、上記演算されたラインノイズ成分の統計量を上記検出されたＸ線画像データから引き算して、そのＸ線画像データのラインノイズを補正する（ステップ９８）。
画像表示部７は、上記補正されたＸ線画像データを画像表示する（ステップ９９）。【００３８】  第４の実施形態によれば、別のＸ線絞り手段が被検体による散乱Ｘ線を機構的に除去するので、散乱Ｘ線の発生部分だけ別のＸ線絞り手段によって覆うことにより、その覆われた部分をラインノイズ補正に使えるデータとすることで、補正データを多く使えることから、ラインノイズ補正の精度を向上できる。【００３９】  以上のように、本発明について複数の実施の形態を説明したが、上記開示した実施の形態に限定されることなく、請求の範囲に記載される技術思想を実現する技術内容は全て本発明に包含されるものである。
産業上の利用性【００４０】  本発明は、透視や撮影などのＸ線画像取得モードに基づき変化するＸ線絞りに対応してＸ線平面検出手段のＸ線照射領域を有効利用できるＸ線画像診断装置を提供する。
【図１】
2004105609.tif 000003
【図２】
2004105609.tif 000004
【図３】
2004105609.tif 000005
【図４】
2004105609.tif 000006
【図５】
2004105609.tif 000007
【図６】
2004105609.tif 000008
【図７】
2004105609.tif 000009
【図８】
2004105609.tif 000010
【図９】
2004105609.tif 000011
【国際調査報告】
2004105609.tif 000012
2004105609.tif 000013
2004105609.tif 000014